(57)【要約】      （修正有）【課題】可能な限り溶接箇所を減らしたり無くしたりして製造工程を簡略化する。【解決手段】左右側板１０と天板と底板とを具備した筐体を有する家具であって、前記左右側板の各側板の前端部１０Ｆは、家具の左右幅の中心側に向かう折曲部１０Ａと後方側に向かう折曲部１０Ｂとを具備するが、該前端部の終端縁は各側板の本体部１０Ｈの裏面と離隔して終端していて各前端部と夫々対応する側板の本体部とを溶接せず、しかも、別部材の溶接による側板前補強も有していないよう構成する。【選択図】図３
2008017895.tif 000002
【特許請求の範囲】
【請求項１】
左右側板（１０，１０’）と天板（１２）と底板（１４）とを具備した筐体を有する家具であって、前記左右側板の各側板の前端部（１０Ｆ）は、家具の左右幅の中心側に向かう折曲部（１０Ａ，１０Ａ１，１０Ａ２）と後方側に向かう折曲部（１０Ｂ，１０Ｂ１，１０Ｂ２）とを具備するが、該前端部の終端縁は各側板の本体部（１０Ｈ）の裏面と離隔して終端していて各前端部と夫々対応する側板の本体部とを溶接せず、しかも、別部材の溶接による側板前補強も有していないことを特徴とする家具。
【請求項２】
前記左右側板の各側板の後端部（１０Ｒ）は、家具の左右幅の中心側に向かう折曲部（１０Ａ’，１０Ａ１’，１０Ａ２’）と前方側に向かう折曲部（１０Ｂ’，１０Ｂ１’，１０Ｂ２’）とを具備するが、該後端部の終端縁は各側板の本体部の裏面と離隔して終端していて各後端部と夫々対応する側板の本体部とを溶接せず、しかも、別部材の溶接による側板後補強も有していない請求項１記載の家具。
【請求項３】
家具が背側を閉じる背板と、前側を左右方向に蝶番式で開閉する扉との何れかの閉じ部材を設けていると共に、進退するスライドレールによってガイドされる抽斗を有していない場合、設けられている閉じ部材は前記左右側板に対して着脱可能に設けられており、左右側板の各側板は前後幅中央位置の上下方向ラインに対して前後対称に構成されており、しかも、左側板と右側板とは、家具の左右幅中央位置の上下方向ラインに対して左右対称に構成されている請求項２記載の家具。
【請求項４】
家具が背側を閉じる背板と、前側を左右方向に蝶番式で開閉する扉との何れかの閉じ部材を設けていると共に、進退する左右１対のスライドレールによってガイドされる抽斗を有している場合、設けられている閉じ部材とスライドレールは夫々前記左右側板に対して着脱可能に設けられており、左右側板の各側板は前後幅中央位置の上下方向ラインに対して前後対称に構成されており、しかも、左側板と右側板とは、家具の左右幅中央位置の上下方向ラインに対して左右対称に構成されている請求項２記載の家具。
【請求項５】
前記左右側板夫々の前端部（１０Ｆ）に前側切欠孔部（１０ＦＨ）を設けており、後端部（１０Ｒ）に側板後側係合部（１０ＲＨ）を設けており、抽斗をガイドする抽斗左右のスライドレール（２０）に後側係合部（２０Ａ）と、各スライドレールが装着対面する側板の側に突出した前側係合部（２０Ｂ）とを設けており、前記後側係合部を前記側板後側係合部に係合させた状態で、スライドレールの前部を前記装着対面する側板の方向に押して前記前側係合部を前記前側切欠孔部に挿入させ、この状態のスライドレールが当該側板から離れることを防止する固定用部品（２２）を挿入係合させ、該固定用部品は前記前端部の終端縁と当該側板の本体部との間の開口を介して挿入でき、前記前側係合部に挿入係合できると共に、上下方向寸法又は左右方向寸法が前記前側切欠孔部の対応寸法よりも大きくて前記前端部に係合する請求項２記載の家具。
【請求項６】
家具が複数段の抽斗を有し、各抽斗高さ位置に対応して各抽斗対応掛止部材（２４Ｋ）を設けていると共に、上下方向に延伸しており、キー操作によって回転させられて各抽斗の引き出しを防止できる鍵棒（２４）を挿通させる切欠孔部（２２Ｈ）を前記固定用部品が設けている請求項５記載の家具。
【請求項７】
前記各抽斗対応掛止部材は、前記固定用部品の切欠孔部上端から該抽斗対応掛止部材下端までの離隔距離（Δ）が３０ｍｍ以内の範囲に近接して設けられている請求項６記載の家具。
【発明の詳細な説明】
【技術分野】
【０００１】
本発明は、板金によって筐体を形成された家具に関する。
【背景技術】
【０００２】
金属製板部材によって筐体を形成する場合、使用される板部材は薄板であるため、筐体の曲げ剛性や曲げ強度を保持すべく、左右側板の前側領域では前端部を折り曲げて本体部と溶接したり、場合によっては別部材で形成した側板前補強（材）を側板に対して溶接して補強している。側板が背板とは別の別部材で形成されている場合は、側板の後側領域でも後端部を折り曲げて本体部と溶接したり、場合によっては別部材からなる側板後補強（材）を側板に対して溶接して補強している。
【発明の開示】
【発明が解決しようとする課題】
【０００３】
然しながら、こうした溶接をするためには、筐体の製造工程において、折り曲げ工程の他に、溶接工程を設ける必要がある。従って、その分、手間を要してコスト高になる。しかし、筐体を構成する板材の厚さを厚くしたり、或いは、大きな荷重を受けないと考えられる比較的小さな家具に対しては、必ずしも側板を折り曲げた前端部や後端部を本体部に対して溶接したり、或いは、別部材からなる補強材を側板に溶接する必要はない。また、別部材からなる補強材を設けなければ、部品点数を減らせて低コスト化できる。
そこで、本発明の課題は、可能な限り溶接箇所を減らしたり無くしたりして製造工程を簡略化することである。また、こうして作られた筐体を用いた家具の前後を交替させた使用を可能にする。
【課題を解決するための手段】
【０００４】
第１の発明では、左右側板と天板と底板とを具備した筐体を有する家具であって、前記左右側板の各側板の前端部は、家具の左右幅の中心側に向かう折曲部と後方側に向かう折曲部とを具備するが、該前端部の終端縁は各側板の本体部の裏面と離隔して終端していて各前端部と夫々対応する側板の本体部とを溶接せず、しかも、別部材の溶接による側板前補強も有していないことを特徴とする家具を提供する。側板の前端部とは、所謂、前框の部分のことである。本体部とは、この框部分以外であって、側板の主たる平面部を指す。
【０００５】
第２の発明では、第１発明の左右側板の各側板の後端部は、家具の左右幅の中心側に向かう折曲部と前方側に向かう折曲部とを具備するが、該後端部の終端縁は各側板の本体部の裏面と離隔して終端していて各後端部と夫々対応する側板の本体部とを溶接せず、しかも、別部材の溶接による側板後補強も有しないよう構成する。側板の後端部とは、所謂、後框の部分のことである。
【０００６】
第３の発明では、第２発明の家具が背側を閉じる背板と、前側を左右方向に蝶番式で開閉する扉との何れかの閉じ部材を設けていると共に、進退するスライドレールによってガイドされる抽斗を有していない場合、設けられている閉じ部材は前記左右側板に対して着脱可能に設けられており、左右側板の各側板は前後幅中央位置の上下方向ラインに対して前後対称に構成されており、しかも、左側板と右側板とは、家具の左右幅中央位置の上下方向ラインに対して左右対称に構成されているよう構成する。
【０００７】
第４の発明では、第２発明の家具が背側を閉じる背板と、前側を左右方向に蝶番式で開閉する扉との何れかの閉じ部材を設けていると共に、進退する左右１対のスライドレールによってガイドされる抽斗を有している場合、設けられている閉じ部材とスライドレールは夫々前記左右側板に対して着脱可能に設けられており、左右側板の各側板は前後幅中央位置の上下方向ラインに対して前後対称に構成されており、しかも、左側板と右側板とは、家具の左右幅中央位置の上下方向ラインに対して左右対称に構成されているよう構成する。
【０００８】
第５の発明では、第２発明の左右側板夫々の前端部に前側切欠孔部を設けており、後端部に側板後側係合部を設けており、抽斗をガイドする抽斗左右のスライドレールに後側係合部と、各スライドレールが装着対面する側板の側に突出した前側係合部とを設けており、前記後側係合部を前記側板後側係合部に係合させた状態で、スライドレールの前部を前記装着対面する側板の方向に押して前記前側係合部を前記前側切欠孔部に挿入させ、この状態のスライドレールが当該側板から離れることを防止する固定用部品を挿入係合させ、該固定用部品は前記前端部の終端縁と当該側板の本体部との間の開口を介して挿入でき、前記前側係合部に挿入係合できると共に、上下方向寸法又は左右方向寸法が前記前側切欠孔部の対応寸法よりも大きくて前記前端部に係合するよう構成する。
切欠孔部とは、周囲が完全に閉じられた孔でもよく、また、一部が開放された切欠部でもよいという意味で使用している。以下の発明においても同様である。
【０００９】
第６の発明では、第５発明の家具が複数段の抽斗を有し、各抽斗高さ位置に対応して各抽斗対応掛止部材を設けていると共に、上下方向に延伸しており、キー操作によって回転させられて各抽斗の引き出しを防止できる鍵棒を挿通させる切欠孔部を前記固定用部品が設けているよう構成する。
【００１０】
第７の発明では、第６発明の各抽斗対応掛止部材は、前記固定用部品の切欠孔部上端から該抽斗対応掛止部材下端までの離隔距離が３０ｍｍ以内の範囲に近接して設けられているよう構成する。
【発明の効果】
【００１１】
第１の発明では、側板の本体部と前端部とが溶接されておらず、別部材による側板前補強も溶接していないため、その溶接が無くなり、製造工程を簡略化できる。また、前端部が家具左右幅の中心側に向かう折曲部と後方側に向かう折曲部とを具備するため、前端部は側板の本体部との間に空間を保持している。そこで、この前端部に切欠孔部を設け、ここにスライドレールの側方に凸な係合部を係合させることもでき、従来と同様にスライドレールを設けることができる。この第１発明に係る家具の筐体には、図１の（ａ）〜（ｄ）の４種類の構造がある。
【００１２】
第２の発明では、第１の発明の前端部と同様に側板の後端部も構成されているため、より製造工程を簡略化できる。スライドレールを設けることができることも同様である。この第２発明に係る家具の筐体には、図１の（ａ），（ｂ），（ｃ）の３種類の構造がある。
【００１３】
第３の発明では、家具筐体の左右側板が、前後方向と左右方向に対称な構造であるため、着脱可能な閉じ部材としての背板を前側に付け替えることができ、また、前側の扉があればこれを背側に付け替えることができる。従って、家具の前側を正面として使用していても、付け替えさえすれば、或る時から背側を正面として使用することができる。従って、扉としては左右方向に開閉する片開き扉と両開き扉（観音扉）の場合があり、スライドレールの無い抽斗、所謂トレーを出し入れする家具でもよく、また、棚のみの家具や棚も無い単純な１つの収納空間の家具でもよい。
【００１４】
第４の発明では、家具筐体の左右側板が、前後方向と左右方向に対称な構造であるため、着脱可能な閉じ部材としての背板を正面側に付け替えることができ、また、着脱可能なスライドレールも左右を互いに交換すると共に前後を逆にして装着することが可能である。従って、この家具は脊側と正面側を交替させた抽斗使用ができる。また、更に正面側に扉があっても背側に付け替えることができる。
【００１５】
第５の発明では、側板の後端部に設けた側板後側係合部と、スライドレールの後側係合部を係合させた後、スライドレールの前側を側板方向に押してスライドレールの前側係合部を側板の前端部に設けた前側切欠孔部に挿入させても、このままではスライドレールの保持固定はできない。側板前端部終端縁は側板本体部裏面と離隔して終端していて、前端部と側板本体部とは溶接されていないため、前端部終端縁と本体部との間には開口が存在する。このため、固定用部品をこの開口を介して挿入して前側係合部に挿入係合できると共に、固定用部品の上下又は左右方向の寸法が前側切欠孔部の寸法よりも大きくて側板の前端部に係合する。これによってスライドレールが保持固定できる。
【００１６】
第６の発明では、複数段の抽斗用の鍵棒は上下に長いため、ロックされた状態において抽斗を引き出そうとすると、その引き出し力が抽斗対応掛止部材を介して鍵棒を曲げるように作用する。この発明では、スライドレール保持固定用の固定用部品を利用して鍵棒を挿通させる切欠孔部を設けているため、鍵棒の曲がりを防止する専用の部品を設けなくても、鍵棒を側方からサポートしてその曲がりを防止できる。
【００１７】
第７の発明では、抽斗対応掛止部材が固定用部品の切欠孔部上端と近接して設けられており、鍵棒の引き出し力を受ける位置（抽斗対応掛止部材の位置）とサポートされる位置（固定用部品の切欠孔部の位置）とが近いので、鍵棒の曲がりを可及的に小さくできる。
【発明を実施するための最良の形態】
【００１８】
図１は家具筐体の組立方式を４種類模式的に図示したものである。（ａ）は左側板１０、右側板１０’、天板１２、底板１４、背板１６が、夫々、別々に形成されており、これらを適宜手段によって組み立てる場合である。（ｂ）は、左右側板１０，１０’と天板１２が一枚の板金で一体に形成されており、その他の部材と適宜な手段で組み立てる場合である。（ｃ）は、天板１２と背板１６が一枚の板金で形成されており、その他の部材と適宜な手段で組み立てる場合である。（ｄ）は、左右側板１０，１０’と背板１６が一枚の板金で形成されており、その他の部材と適宜な手段で組み立てる場合である。
【００１９】
図２は左側板１０の前端部の形態を模式的に図示している。（ａ）は左側板１０の本体部１０Ｈの先部を、家具の左右幅の中心側（この図の下側）に向かって概ね９０度に折り曲げた折曲部１０Ａを具備し、更にその先部を後方側（この図の右側）に向かうように折り曲げた折曲部１０Ｂを具備する。更に、その先部を本体部１０Ｈの方向に折り曲げた折曲部１０Ｃを具備する場合もあるが、この折曲部１０Ｃは本体部とは適宜距離離隔させる。本発明ではこれら折曲部１０Ａ，１０Ｂ（，１０Ｃ）を合わせて左側板１０の前端部１０Ｆと称する。
【００２０】
（ｂ）は図示のように２段になっており、折曲部１０Ａが１０Ａ１，１０Ａ２の２つに分かれており、また、折曲部１０Ｂが１０Ｂ１，１０Ｂ２の２つに分かれていることが（ａ）と異なる。（ｃ）は家具の左右幅の中心側に向かって折り曲げた折曲部１０Ａが９０度よりも大きな角度まで折り曲げられて傾斜していることが（ａ）と異なる。（ｄ）は折曲部１０Ａが平面状ではなくて曲面に形成されていることが（ａ）と異なる。以上（ａ）〜（ｄ）は左側板の後端部も同様であり、また、右側板も同様である。
【００２１】
図３は本発明に係る抽斗を有するワゴン等の家具の要部の図であり、（ｂ）は左側板１０の正面部分図であり、（ａ）は（ｂ）の矢視線ｂ−ｂによる横断面図である。この左側板１０は、前端部１０Ｆが図２（ａ）の形態であり、後端部１０Ｒも同様な形態である。前端部１０Ｆ並びに後端部１０Ｒと本体部１０Ｈとは互いに溶接した箇所は無く、これらの部分に関しては製造時に溶接工程が不要となる。また、前端部１０Ｆと本体部１０Ｈとの間には適宜な空間が存在している。また、前端部１０Ｆには折曲部１０Ｂに切欠孔部１０ＦＨを設けており、後端部１０Ｒには、折曲部１０Ｂ’と１０Ｃ’との境界部を跨いで両折曲部に亘った切欠孔部１０ＲＨが形成されている。
【００２２】
一方、抽斗用のスライドレール２０には、その左側板１０側の前部所定位置に、上側が閉じ、その他が開口した断面Ｌ字状の係合部２０Ｂが切り起こされて設けられており、左側板１０側の後部所定位置に、前側が閉じ、その他が開口した断面Ｌ字状の係合部２０Ａが切り起こされて設けられている。従って、スライドレール２０の取り付け装着では、まず、係合部２０Ａを切欠孔部１０ＲＨに挿入し、該スライドレールの前部を前端部１０Ｆの方に押してその係合部２０Ｂを切欠孔部１０ＦＨに挿入して手を離すか、或いは僅かに押し下げれば、スライドレールが左側板に係合装着できる。即ち、従来はスライドレールを側板前補強（材）と側板後補強（材）に係合装着させていたのと同様に係合装着できる。
【００２３】
図３には右側板は図示していないが、家具の左右幅中央位置の上下方向ラインに対して、左側板と左右対称の関係に構成されている。また、図３では閉じ部材としての背板を図示していないが、左右側板に対してネジ部品を使用して着脱可能に装着している。この例では図３の右側が背側であり、左側が正面側である。
【００２４】
この例の家具の背側と正面側を入れ替える、即ち、図３の右側を正面側とし、左側を背側とすることもできる家具とするための変更箇所を説明する。背板を左右側板の後端部１０Ｒに装着するためのネジ孔等の構造を、前後対称な側板構造として前端部１０Ｆにも設けておけば、背板を図３の左側に装着することができる。スライドレールを装着する家具でない場合の第３発明の観点からは、以上によって、図３の右側に装着されている背板を図３の左側に装着し直すことができ、前後を交替させることができる。また、正面側に蝶番式の扉が設けられている場合は、その蝶番を装着させる孔構造を前後対称な側板構造として背側にも設けておけば、背側に扉を装着できる。
【００２５】
しかし、実際の図３の例はスライドレールを装着して抽斗を出し入れする構造の家具であるため、上記変更だけでは未だ左側板も右側板も前後方向の幅中央位置の上下方向ラインに対して前後対称な側板構造ではない。各切欠孔部１０ＦＨ，１０ＲＨを前後対称位置に同じ寸法形状に形成すれば前後対称構造となる。具体的には、例えば、切欠孔部１０ＲＨを切欠孔部１０ＦＨと同じに形成し、更にはスライドレールの係合部２０Ａを係合部２０Ｂと同じにする。但し、スライドレールの係合部形状は必ずしも同じでなくてもよい。第４発明の観点からはスライドレールの前後対称性は求めない。
【００２６】
こうして図３の例の左側板側のスライドレール２０と、図示しない右側板側のスライドレールとを交換し、更には、夫々の前後方向を逆にして各側板に装着できる。従って、図３の左側に背板を装着し、右側を正面側として抽斗を出し入れでき、元々、家具の背側に居た人が抽斗を使用できるようになる。
【００２７】
図４は本発明に係る他の形態例の、抽斗を有するワゴン等の家具の要部の図であり、左側板１０を家具内部から正面視した図と上面図とを一緒に図示している。前端部１０Ｆは図２の（ｂ）の形態であり、後端部１０Ｒも同様である。前端部１０Ｆの折曲部１０Ｂ２には、抽斗の設置高さに対応した位置に前側切欠孔部１０ＦＨが設けられている。また、後端部１０Ｒの折曲部１０Ｂ２’にも、この例では切欠孔部からなる側板後側係合部１０ＲＨが設けられている。この側板後側係合部１０ＲＨは切欠孔部以外の係合部でもよい。
【００２８】
前記前側切欠孔部１０ＦＨと側板後側係合部１０ＲＨとを利用して、スライドレール２０を装着させる。図５はスライドレールを左側板１０に装着させた状態の断面図による平面図である。スライドレールの後部所定位置の左側板１０側には、卍の部分形状をなした後側係合部２０Ａを一体化させており、これを家具の前側から挿入して側板後側係合部１０ＲＨに係合させる。その後、スライドレール２０の前部を左側板に押し付け、スライドレールの前部所定位置の左側板側に突出状に一体化させている前側係合部２０Ｂを前側切欠孔部１０ＦＨに挿入させる。
【００２９】
図６を参照すれば判るように、前側係合部２０Ｂは、スライドレール２０に溶接一体化させた板面部に、後述の固定部品２２の係合用の孔２０Ｋを設けている。また、スライドレールから突出した部分に図示のように上下２箇所に分けて切欠孔部２０Ｈ，２０Ｈ’を設けている。
【００３０】
一方、図７に斜視図を示す固定用部品２２は、その本体部が、左側板１０前端部１０Ｆの折曲部１０Ｂ２と本体部１０Ｈとの間に存在して後方側に開口している空間に挿入できる厚さ寸法であり、その先部には上下２箇所に分かれて前方に突出した突部２２Ｔ，２２Ｔ’が設けられている。図５に現れているが、固定用部品２２は前記の空間開口から挿入して、その突部を前記前側係合部２０Ｂの切欠孔部２０Ｈ，２０Ｈ’に挿入させ、その側面を前端部１０Ｆの折曲部１０Ｂ１の内面に当接させることにより、スライドレールの前側係合部２０Ｂが前側切欠孔部１０ＦＨから抜け出ることを防止している。即ち、固定用部品２２の前後方向寸法は前側切欠孔部１０ＦＨの前後方向寸法よりも大きくて前端部１０Ｆ（の折曲部１０Ｂ１の裏面）に係合している。また、固定用部品２２自体が家具の後方側に抜け出ることを防止するために、その本体部側面には弾性のある係合部２２Ｋを設けており、これが前側係合部２０Ｂに設けた係合用の孔２０Ｋに係合する構成としている。
【００３１】
固定用部品２２の所定位置には、所定大きさの切欠孔部２２Ｈを設けている。図４〜図８に係る家具は複数段の抽斗を有しており、キー操作によって全ての抽斗を一緒に施錠できるように構成された周知の鍵棒２４が縦設されている。鍵棒には、各抽斗高さ位置に対応して抽斗対応係止部材２４Ｋが設けられている。従って、細長い鍵棒にはこの抽斗対応係止部材を介して曲げの力が作用することがある。これによる鍵棒の曲がりを防止するために、従来から所々に横から鍵棒を支持する支持専用部材を設けている。ここでは、前記固定用部品２２の所定位置に設けた切欠孔部２２Ｈによって鍵棒を横から支持し、その支持専用部材をなくすることができた。
【００３２】
更には、固定用部品の切欠孔部上端から抽斗対応係止部材２４Ｋの下端までの離隔距離Δは、この例では３０ｍｍ以内であり、５ｍｍとしている。鍵棒が抽斗から受け得る力Ｆは、抽斗対応係止部材２４Ｋを介して受けるが、その力Ｆは抽斗対応係止部材の上下幅の中央において受けると考えることができる。この力Ｆによる鍵棒の曲がりに対抗して横から力Ｆ’を与える位置は、鍵棒の曲げ防止のために、前記力Ｆの作用する位置に可及的に近いことが望ましい。このことが第７発明の意義である。
【産業上の利用可能性】
【００３３】
本発明は、正面がオープンな棚状収納庫や、抽斗を有したり、片開きか両開き式の扉を有した収納庫や書庫やキャビネット等の家具に利用できる。
【図面の簡単な説明】
【００３４】
【図１】図１は家具筐体の組立方式を４種類模式的に図示したものである。
【図２】図２は左側板前端部の典型形態を模式的に図示したものである。
【図３】図３は本発明に係る抽斗を有するワゴン等の家具の要部の図である。
【図４】図４は本発明に係る他の形態例の抽斗を有するワゴン等の家具の要部の図である。
【図５】図５はスライドレールを図４の左側板に装着させた状態の断面図による拡大平面部分図である。
【図６】図６は図５のスライドレールの要部斜視図である。
【図７】図７は図５のスライドレール装着に使用されている固定用部品の斜視図である。
【図８】図８は鍵棒を明示した図５の部分正面図である。
【符号の説明】
【００３５】
１０                      左側板
１０’                    右側板
１０Ｆ                    前端部
１０ＦＨ                  前側切欠孔部
１０Ｈ                    側板本体部
１０Ｒ                    後端部
１０ＲＨ                  側板後側係合部
２０                      スライドレール
２０Ａ                    後側係合部
２０Ｂ                    前側係合部
２２                      固定用部品
２２Ｔ                    突部
２４                      鍵棒
【図１】
2008017895.tif 000003
【図２】
2008017895.tif 000004
【図３】
2008017895.tif 000005
【図４】
2008017895.tif 000006
【図５】
2008017895.tif 000007
【図６】
2008017895.tif 000008
【図７】
2008017895.tif 000009
【図８】
2008017895.tif 000010